【手続補正書】
【提出日】平成18年5月31日(2006.5.31)
【手続補正１】
【補正対象書類名】明細書
【補正対象項目名】特許請求の範囲
【補正方法】変更
【補正の内容】
【特許請求の範囲】
【請求項１】  その立体異性体および農業分野で一般的に用いられる塩を含む以下のＡおよびＢの混合物からなる除草活性を有する組成物。
Ａ．除草剤として活性な量の下記式(Ｉ)の１つまたは２つ以上の化合物：
【化１】
2002518416.tif 000001
式中、Ｖは下記(Ｖ１)〜(Ｖ４)から成る群から選ばれるラジカルであり；
【化２】
2002518416.tif 000002
（式中、記号およびインデックスは以下の意味を有する：
Ｒは水素、(Ｃ1−Ｃ4)アルコキシカルボニル、(Ｃ1−Ｃ4)ハロアルコキシカルボニル、ＣＯＯＨ、シアノであり；
Ｒ1は水素または(Ｃ1−Ｃ4)アルキル、(Ｃ2−Ｃ4)アルケニル、(Ｃ2−Ｃ4)アルキニル、(Ｃ3−Ｃ7)シクロアルキル、(Ｃ3−Ｃ7)シクロアルケニル、(Ｃ1−Ｃ4)アルキル−(Ｃ3−Ｃ7)シクロアルキル、(Ｃ3−Ｃ7)ハロシクロアルキル、(Ｃ1−Ｃ4)アルキルチオシクロアルキル、(Ｃ1−Ｃ4)ハロアルキル、(Ｃ2−Ｃ4)ハロアルケニルであり；
Ｒ2は水素、(Ｃ1−Ｃ4)アルキル、(Ｃ1−Ｃ4)アルコキシ、(Ｃ1−Ｃ4)ハロアルキル、ハロゲン、(Ｃ1−Ｃ4)ハロアルコキシ、シアノ、ニトロであり；
Ｒ3は水素または(Ｃ1−Ｃ4)アルキル、(Ｃ2−Ｃ4)アルケニル、(Ｃ2−Ｃ4)アルキニル、(Ｃ1−Ｃ4)ハロアルキル、(Ｃ1−Ｃ4)アルコキシ−(Ｃ1−Ｃ4)アルキル、(Ｃ1−Ｃ4)アルキルカルボニル、(Ｃ1−Ｃ4)アルキルスルホニル、(Ｃ1−Ｃ4)ハロアルキルスルホニル
、アリールスルホニル、アリールカルボニル−(Ｃ1−Ｃ4)アルキル、アリール−(Ｃ1−Ｃ4)アルキルであり；
Ｒ4は水素または(Ｃ1−Ｃ4)アルキル、(Ｃ2−Ｃ4)アルケニル、(Ｃ2−Ｃ4)アルキニル、(Ｃ1−Ｃ4)ハロアルキル、フェニル、ベンジルであり；
Ｒ5は(Ｃ1−Ｃ4)アルキル、(Ｃ1−Ｃ4)アルコキシ、(Ｃ1−Ｃ4)アルコキシ−(Ｃ1−Ｃ4)アルキル、(Ｃ1−Ｃ4)ジアルコキシ−(Ｃ1−Ｃ4)アルキル、(Ｃ1−Ｃ4)アルキルチオ、ハロゲン、置換または非置換アリール、テトラヒドロピラン−４−イル、テトラヒドロピラン−３−イル、テトラヒドロチオピラン−３−イル、１−メチルチオ−シクロプロピル、２−エチルチオプロピルであり；
Ｒ6はヒドロキシルまたは(Ｃ1−Ｃ4)アルコキシ、(Ｃ1−Ｃ4)ハロアルコキシ、ホルミルオキシ、(Ｃ1−Ｃ4)アルキルカルボニルオキシ、(Ｃ1−Ｃ4)アルキルスルホニルオキシ、(Ｃ1−Ｃ4)アルキルチオ、(Ｃ1−Ｃ4)ハロアルキルチオ、(Ｃ1−Ｃ4)アルキルスルフィニル、(Ｃ1−Ｃ4)アルキルスルホニルであり；
Ｒ7は(Ｃ1−Ｃ4)アルキル、(Ｃ1−Ｃ4)ハロアルキル、(Ｃ3−Ｃ7)シクロアルキル、(Ｃ1−Ｃ4)アルキル−(Ｃ3−Ｃ7)シクロアルキル、(Ｃ3−Ｃ7)ハロシクロアルキルであり；
Ｒ8はシアノまたは(Ｃ1−Ｃ4)アルコキシカルボニル、(Ｃ1−Ｃ4)アルキルカルボニル、(Ｃ1−Ｃ4)アルキルスルホニル、(Ｃ1−Ｃ4)アルキルスルフィニル、(Ｃ1−Ｃ4)アルキルチオ、(Ｃ1−Ｃ4)アルキルアミノカルボニル、(Ｃ1−Ｃ4)ジアルキルアミノカルボニルであり；
ｍは０から６の整数である）；そして
Ｚは下記(Ｚ１)〜(Ｚ４)から成る群から選ばれるラジカルである；
【化３】
2002518416.tif 000003
（式中、記号およびインデックスは以下の意味を有する：
Ｒ9はニトロ、アミノ、ハロゲンまたは(Ｃ1−Ｃ4)アルキル、(Ｃ2−Ｃ4)アルケニル、(Ｃ2−Ｃ4)アルキニル、(Ｃ1−Ｃ4)ハロアルキル、(Ｃ2−Ｃ4)ハロアルケニル、(Ｃ2−Ｃ4)ハロアルキニル、(Ｃ1−Ｃ4)ハロアルコキシ、(Ｃ1−Ｃ4)ハロアルキルチオ、(Ｃ1−Ｃ4)アルコキシカルボニル、(Ｃ1−Ｃ4)アルキルスルホニル、(Ｃ1−Ｃ4)アルキルスルフィニル、(Ｃ1−Ｃ4)アルキルチオ、アリールスルホニル、アリールスルフィニル、アリールチオ、(Ｃ1−Ｃ4)アルコキシ、(Ｃ1−Ｃ4)アルコキシ−(Ｃ1−Ｃ4)アルコキシ、(Ｃ1−Ｃ4)アルキルカルボニル、(Ｃ1−Ｃ4)アルキルアミノスルホニル、(Ｃ1−Ｃ4)ジアルキルアミノスルホニル、(Ｃ1−Ｃ4)アルキルカルバモイル、(Ｃ1−Ｃ4)ジアルキルカルバモイル、(Ｃ1−Ｃ4)アルコキシ−(Ｃ1−Ｃ4)アルキル、フェノキシ、シアノ、アリール、アルキルアミノ、ジアルキルアミノであり；
Ｒ10は置換または非置換ベンジル、置換または非置換ヘテロアリール、ヘテロシクリル、ヘテロアリール(Ｃ1−Ｃ4)アルキル、ジ(Ｃ1−Ｃ4)アルキルホスホノ(Ｃ1−Ｃ4)アルキルまたはＳＦ5であり；
Ｒ11は同一または異なり、水素、(Ｃ1−Ｃ4)アルキル、ハロゲンであり；
Ｒ12は同一または異なり、(Ｃ1−Ｃ4)アルキル、(Ｃ2−Ｃ4)アルケニル、(Ｃ2−Ｃ4)アルキニル、ハロゲン、(Ｃ1−Ｃ4)ハロアルキル、(Ｃ2−Ｃ4)ハロアルケニル、(Ｃ2−Ｃ4)ハロアルキニル、(Ｃ1−Ｃ4)ハロアルコキシ、(Ｃ1−Ｃ4)ハロアルキルチオ、(Ｃ1−Ｃ4)アルコキシカルボニル、(Ｃ1−Ｃ4)アルキルスルホニル、(Ｃ1−Ｃ4)ハロアルキルスルホニル、(Ｃ1−Ｃ4)アルキルスルフィニル、(Ｃ1−Ｃ4)ハロアルキルスルフィニル、(Ｃ1−Ｃ4)アルキルチオ、(Ｃ1−Ｃ4)アルコキシ、(Ｃ1−Ｃ4)アルキルカルボニル、(Ｃ1−Ｃ4)アルキルアミノスルホニル、(Ｃ1−Ｃ4)ジアルキルアミノスルホニル、(Ｃ1−Ｃ4)アルキルカルバモイル、(Ｃ1−Ｃ4)ジアルキルカルバモイル、(Ｃ1−Ｃ4)アルコキシアルキル、フェノキシ、ニトロ、シアノ、アリール、ジ(Ｃ1−Ｃ4)アルキルホスホノ−(Ｃ1−Ｃ4)アルキルであり；
ｑは０、１、２、３または４であり；
ｒは０、１、２または３であり；
ｔは１または２であり；
ｕは０、１または２であり；
ｖは１または２であり；
Ｘ1はＯ、ＣＲ14Ｒ15、ＣＨＯＨ、Ｃ＝Ｏ、Ｃ＝ＮＯ(Ｃ1−Ｃ4)アルキルであり；
Ｘ2はＯ、Ｓ、ＳＯ、ＳＯ2、ＣＨ2、ＮＨ、Ｎ(Ｃ1−Ｃ4)アルキル、ＮＳＯ2(Ｃ1−Ｃ4)アルキルであり；
Ｕ1は連結された炭素原子と一緒になって炭素環または複素環を形成し、これは芳香環または完全もしくは部分的に飽和されていてもよく；
Ｕ2はＯ、Ｓ、ＳＯ、ＳＯ2、ＣＨ2、ＮＨ、Ｎ(Ｃ1−Ｃ4)アルキル、ＮＳＯ2(Ｃ1−Ｃ4)アルキルであり；
Ｒ13は水素、(Ｃ1−Ｃ4)アルキル、(Ｃ3−Ｃ7)シクロアルキル、(Ｃ2−Ｃ4)アルケニル、(Ｃ2−Ｃ4)アルキニル、場合によって置換されたフェニル、場合によって置換されたベンジル、(Ｃ1−Ｃ4)アシルであり；
Ｒ14、Ｒ15は同一または異なり、水素、(Ｃ1−Ｃ4)アルキル、(Ｃ1−Ｃ4)アルコキシ、(Ｃ1−Ｃ4)ハロアルコキシ、(Ｃ1−Ｃ4)アルキルチオ、(Ｃ1−Ｃ4)ハロアルキルチオ、またはＲ14とＲ15は一緒になって基−Ｏ−(ＣＨ2)2−Ｏ−、−Ｏ−(ＣＨ2)3−Ｏ−、Ｓ−(ＣＨ2)2−Ｓ−、−Ｓ−(ＣＨ2)3−Ｓ−、−(ＣＨ2)4−、−(ＣＨ2)5−の１つを形成し；
Ｒ16は(Ｃ1−Ｃ2)アルキルであり；
Ｙ1、Ｙ2は、Ｙ1≠Ｙ2を条件としてＳＯ2またはＣＯである）；
および
Ｂ．解毒作用量の下記ａ)〜ｅ)から成る群から選ばれる１つまたは２つ以上の化合物：
ａ）下記式(II)から(IV)の化合物：
【化４】
2002518416.tif 000004
（式中、記号およびインデックスは以下の意味を有する：
ｎ′は１から５の自然数、好ましくは１から３であり；
Ｔは(Ｃ1またはＣ2)アルカンジイル鎖で、これは、置換されていないか、または１つもしくは２つの(Ｃ1−Ｃ4)アルキルラジカルによって、または〔(Ｃ1−Ｃ3)アルコキシ〕カルボニルによって置換されており；
Ｗは置換されていないかまたは置換された二価の複素環ラジカルで、部分的に不飽和であるかまたは芳香族である、ＮもしくはＯの異種原子１〜３つを有する５員の複素環から成る群から選ばれ、この環は少なくとも１つの窒素原子を含み、２つ以上の酸素原子を含まず；
ｍ′は０または１であり；
Ｒ17、Ｒ19は同一または異なり、水素、ハロゲン、(Ｃ1−Ｃ4)アルキル、(Ｃ1−Ｃ4)アルコキシ、ニトロ、または(Ｃ1−Ｃ4)ハロアルキルであり；
Ｒ18、Ｒ20は同一または異なり、ＯＲ24、ＳＲ24もしくはＮＲ24Ｒ25または飽和もしくは不飽和の少なくとも１つの窒素原子および３つまでの異種原子をもつ３−から７−員複素環であってこれは(II)または(III)のカルボニル基に窒素原子を介して連結されており、さらにこれは置換されていないか、または(Ｃ1−Ｃ4)アルキル、(Ｃ1−Ｃ4)アルコキシまたは場合によって置換されたフェニルから成る群から選ばれるラジカルによって置換されているものであり；
Ｒ24は水素または非置換もしくは置換脂肪族炭化水素ラジカルであり；
Ｒ25は水素、(Ｃ1−Ｃ6)アルキル、(Ｃ1−Ｃ6)アルコキシまたは置換もしくは非置換フェニルであり；
Ｒ26は水素、(Ｃ1−Ｃ8)アルキル、(Ｃ1−Ｃ8)ハロアルキル、(Ｃ1−Ｃ4)アルコキシ−(Ｃ1−Ｃ4)アルキル、(Ｃ1−Ｃ6)ヒドロキシアルキル、(Ｃ3−Ｃ12)シクロアルキルまたはトリ(Ｃ1−Ｃ4)アルキルシリルであり；
Ｒ27、Ｒ28、Ｒ29は同一または異なり、水素、(Ｃ1−Ｃ8)アルキル、(Ｃ1−Ｃ8)ハロアルキル、(Ｃ3−Ｃ12)シクロアルキルまたは置換もしくは非置換フェニルであり；
Ｒ21は(Ｃ1−Ｃ4)アルキル、(Ｃ1−Ｃ4)ハロアルキル、(Ｃ2−Ｃ4)アルケニル、(Ｃ2−Ｃ4)ハロアルケニル、(Ｃ3−Ｃ7)シクロアルキルであり；
Ｒ22、Ｒ23は同一または異なり、水素、(Ｃ1−Ｃ4)アルキル、(Ｃ2−Ｃ4)アルケニル、(Ｃ2−Ｃ4)アルキニル、(Ｃ1−Ｃ4)ハロアルキル、(Ｃ2−Ｃ4)ハロアルケニル、(Ｃ1−Ｃ4)アルキルカルバモイル−(Ｃ1−Ｃ4)アルキル、(Ｃ2−Ｃ4)アルケニルカルバモイル−(Ｃ1−Ｃ4)アルキル、(Ｃ1−Ｃ4)アルコキシ−(Ｃ1−Ｃ4)アルキル、ジオキソラニル−(Ｃ1−Ｃ4)アルキル、チアゾリル、フリル、フリルアルキル、チエニル、ピペリジル、置換もしくは非置換フェニルであるか、または、Ｒ22およびＲ23は一緒になって置換もしくは非置換複素環を形成する)；
ｂ）下記から成る群からの１つまたは２つ以上の化合物：
１,８−ナフタル酸無水物、
メチルジフェニルメトキシアセテート、
シアノメトキシイミノ(フェニル)アセトニトリル(シオメトリニル)、
１,３−ジオキソラン−２−イルメトキシイミノ(フェニル)アセトニトリル(オキサベトリニル)、
４′−クロロ−２,２,２−トリフルオロアセトフェノンＯ−１,３−ジオキソラン−２−イルメチルオキシム(フルキソフェニム)、
４,６−ジクロロ−２−フェニルピリミジン(フェンクロリム)、
ベンジル−２−クロロ−４−トリフルオロメチル−１,３−チアゾール−５−カルボキシレート(フルラゾール)、
２−ジクロロメチル−２−メチル−１,３−ジオキソラン(ＭＧ−１９１)、
Ｎ−(４−メチルフェニル)−Ｎ′−(１−メチル−１−フェニルエチル)尿素(ダイムロン)、
１−〔４−(Ｎ−２−メトキシベンゾイルスルファモイル)フェニル〕−３−メチル尿素、
１−〔４−(Ｎ−２−メトキシベンゾイルスルファモイル)フェニル〕−３,３−ジメチル尿素、
１−〔４−(Ｎ−４,５−ジメチルベンゾイルスルファモイル)フェニル〕−３−メチル尿素、
１−〔４−(Ｎ−ナフトイルスルファモイル)フェニル〕−３,３−ジメチル尿素、
(２,４−ジクロロフェノキシ)酢酸(２,４−Ｄ)、
(４−クロロフェノキシ)酢酸、
(Ｒ,Ｓ)−２−(４−クロロ−ｏ−トリルオキシ)プロピオン酸(メコプロプ)、
４−(２,４−ジクロロフェノキシ)酪酸(２,４−ＤＢ)、
(４−クロロ−ｏ−トリルオキシ)酢酸(ＭＣＰＡ)、
４−(４−クロロ−ｏ−トリルオキシ)酪酸、
４−(４−クロロフェノキシ)酪酸、
３,６−ジクロロ−２−メトキシ安息香酸(ジカンバ)、
１−(エトキシカルボニル)エチル３,６−ジクロロ−２−メトキシベンゾエート(ラクチジクロア)、
並びにそれらの塩およびエステル；
ｃ）下記式(Ｖ)のＮ−アシルスルホンアミドおよびそれらの塩：
【化５】
2002518416.tif 000005
（式中、Ｒ30は水素、炭化水素ラジカル、炭化水素オキシラジカル、炭化水素チオラジカルまたはヘテロシクリルラジカルで、最後の４ラジカルの各々は、置換されていないか、またはハロゲン、シアノ、ニトロ、アミノ、ヒドロキシル、カルボキシル、フォルミル、カルボキサミド、スルホンアミドおよび式−Ｚa−Ｒaのラジカルから成る群から選ばれる同一または異なるラジカルの１つまたは２つ以上で置換されており；
Ｒ31は水素または(Ｃ1−Ｃ4)アルキルであるか、または
Ｒ30およびＲ31は式−ＣＯ−Ｎ−の基と一緒になって３から８員の飽和もしくは不飽和環のラジカルを形成し、そして
Ｒ32は、ｎ＝１、またはＲ32がそれぞれ別個である場合、またはｎが１より大きい場合、各々の場合に、ハロゲン、シアノ、ニトロ、アミノ、ヒドロキシル、カルボキシル、ホルミル、ＣＯＮＨ2、ＳＯ2ＮＨ2または式−Ｚb−Ｒbのラジカルであり；
Ｒ33は水素または(Ｃ1−Ｃ4)アルキルであり；
Ｒ34は、ｍ＝１、またはＲ34がそれぞれ別個である場合、またはｍが１より大きい場合、各々の場合に、ハロゲン、シアノ、ニトロ、アミノ、ヒドロキシル、カルボキシル、ＣＨＯ、ＣＯＮＨ2、ＳＯ2ＮＨ2または式−Ｚc−Ｒcのラジカルであり；
Ｒaは炭化水素ラジカルまたはヘテロシクリルラジカルで、最後の２つのラジカルの各々は置換されていないか、またはハロゲン、シアノ、ニトロ、アミノ、ヒドロキシル、モノおよびジ−〔(Ｃ1−Ｃ4)アルキル〕アミノから成る群から選ばれる同一または異なるラジカルの１つまたは２つ以上で置換されているか、またはアルキルラジカルであって２つ以上の非隣接ＣＨ2基は各々酸素原子で置換されており；
Ｒb、Ｒcはそれぞれ別個に、炭化水素ラジカルまたはヘテロシクリルラジカルであり最後の２つのラジカルの各々は非置換であるか、またはハロゲン、シアノ、ニトロ、アミノ、ヒドロキシル、ホスホリル、ハロ(Ｃ1−Ｃ4)アルコキシ、モノおよびジ〔(Ｃ1−Ｃ4)アルキル〕アミノから成る群から選ばれる１つまたは２つ以上の同一もしくは異なるラジカルによって置換されているか、またはアルキルラジカルであって２つ以上の非隣接ＣＨ2基の各々が酸素原子で置換されており；
Ｚaは式−Ｏ−、−Ｓ−、−ＣＯ−、−ＣＳ−、−ＣＯ−Ｏ−、−ＣＯ−Ｓ−、−Ｏ−ＣＯ−、Ｓ−ＣＯ−、−ＳＯ−、ＳＯ2−、−ＮＲ*−、−ＣＯ−ＮＲ*−、−ＮＲ*−ＣＯ−、−ＳＯ2−ＮＲ*−または−ＮＲ*−ＳＯ2−の二価の基であり、対象の二価の基の右側
に示した結合はラジカルＲaとの結合で、さらに最後に述べた５ラジカルのＲ*はそれぞれ別個に各事例で、Ｈ、(Ｃ1−Ｃ4)アルキルまたはハロ(Ｃ1−Ｃ4)アルキルであり；
Ｚb、Ｚcはそれぞれ別個に直接結合または式−Ｏ−、−Ｓ−、−ＣＯ−、−ＣＳ−、−ＣＯ−Ｏ−、−ＣＯ−Ｓ−、−Ｏ−ＣＯ−、−Ｓ−ＣＯ−、−ＳＯ−、−ＳＯ2−、−ＮＲ*−、−ＳＯ2−ＮＲ*−、−ＮＲ*−ＳＯ2−、−ＣＯ−ＮＲ*または−ＮＲ*−ＣＯ−の二価の基で、対象の二価基の右側に示した結合はそれぞれラジカルＲbまたはＲcとの結合であり、最後の５ラジカルのＲ*はそれぞれ別個に各事例でＨ、(Ｃ1−Ｃ4)アルキルまたはハロ(Ｃ1−Ｃ4)アルキルであり；
ｎは０から４の整数であり；そして
ｍは０から５の整数である）；
ｄ）下記式(VI）のアシルスルファモイルベンズアミド、適当な場合にはその塩：
【化６】
2002518416.tif 000006
（式中、Ｘ3はＣＨまたはＮであり；
Ｒ35は水素、ヘテロシクリルまたは炭化水素ラジカルで、最後の２つのラジカルは場合によって、ハロゲン、シアノ、ニトロ、アミノ、ヒドロキシル、カルボキシル、ＣＨＯ、ＣＯＮＨ2、ＳＯ2ＮＨ2およびＺa−Ｒaから成る群から選ばれる同一または異なるラジカルの１つまたは２つ以上で置換されており；
Ｒ36は水素、ヒドロキシル、(Ｃ1−Ｃ6)アルキル、(Ｃ2−Ｃ6)アルケニル、(Ｃ2−Ｃ6)アルキニル、(Ｃ1−Ｃ6)アルコキシ、(Ｃ2−Ｃ6)アルケニルオキシであり、最後の５つのラジカルは場合によって、ハロゲン、ヒドロキシル、(Ｃ1−Ｃ4)アルキル、(Ｃ1−Ｃ4)アルコキシおよび(Ｃ1−Ｃ4)アルキルチオから成る群から選ばれる同一または異なる１つもしくは２つ以上のラジカルによって置換されており；
Ｒ35およびＲ36は、それらが結合している窒素原子と一緒になって３から８員の飽和または不飽和環を形成し；
Ｒ37はハロゲン、シアノ、ニトロ、アミノ、ヒドロキシル、カルボキシル、ＣＨＯ、ＣＯＮＨ2、ＳＯ2ＮＨ2またＺb−Ｒbであり；
Ｒ38は水素、(Ｃ1−Ｃ4)アルキル、(Ｃ2−Ｃ4)アルケニルまたは(Ｃ2−Ｃ4)アルキニルであり；
Ｒ39はハロゲン、シアノ、ニトロ、アミノ、ヒドロキシル、カルボキシル、ホスホリル、ＣＨＯ、ＣＯＮＨ2、ＳＯ2ＮＨ2またはＺc−Ｒcであり；
Ｒaは、炭素鎖が１回または２回以上酸素原子によって中断されている(Ｃ2−Ｃ20)アルキルラジカル、またはヘテロシクリルもしくは炭化水素ラジカルであり、最後の２つのラジカルは場合によって、ハロゲン、シアノ、ニトロ、アミノ、ヒドロキシル、モノおよびジ〔(Ｃ1−Ｃ4)アルキル〕アミノから成る群から選ばれる１つまたは２つ以上の同一または異なるラジカルで置換されており；
Ｒb、Ｒcは同一または異なり、炭素鎖が１回または２回以上酸素原子によって中断されている(Ｃ2−Ｃ20)アルキルラジカル、またはヘテロシクリルもしくは炭化水素ラジカルで、最後の２つのラジカルは場合によって、ハロゲン、シアノ、ニトロ、アミノ、ヒドロキシル、ホスホリル、(Ｃ1−Ｃ4)ハロアルコキシ、モノおよびジ〔(Ｃ1−Ｃ4)アルキル〕アミノから成る群から選ばれる１つまたは２つ以上の同一または異なるラジカルで置換されており；
Ｚaは、Ｏ、Ｓ、ＣＯ、ＣＳ、Ｃ(Ｏ)Ｏ、Ｃ(Ｏ)Ｓ、ＳＯ、ＳＯ2、ＮＲd、Ｃ(Ｏ)ＮＲdまたはＳＯ2ＮＲdから成る群から選ばれる二価ユニットであり；
Ｚb、Ｚcはそれぞれ別個に直接結合または、Ｏ、Ｓ、ＣＯ、ＣＳ、Ｃ(Ｏ)Ｏ、Ｃ(Ｏ)Ｓ
、ＳＯ、ＳＯ2、ＮＲd、ＳＯ2ＮＲdまたはＣ(Ｏ)ＮＲdから成る群から選ばれる二価ユニットであり；
Ｒdは水素、(Ｃ1−Ｃ4)アルキルまたは(Ｃ1−Ｃ4)ハロアルキルであり；
ｎは０から４の整数であり；そして
ｍは、ＸがＣＨである場合は０から５の整数であり、ＸがＮである場合は０から４の整数である）；
ｅ）下記式(VII)の化合物：
【化７】
2002518416.tif 000007
（式中、記号およびインデックスは以下の意味を有する：
Ｒ40はＨ、(Ｃ1−Ｃ4)アルキル、(Ｃ1−Ｃ4)アルキル−Ｘ4もしくは(Ｃ1−Ｃ4)ハロアルキル−Ｘ4で置換された(Ｃ1−Ｃ4)アルキル、(Ｃ1−Ｃ4)ハロアルキル、ＮＯ2、ＣＮ、−ＣＯＯ−Ｒ43、ＮＲ442、ＳＯ2ＮＲ452またはＣＯＮＲ462であり；
Ｒ41はＨ、ハロゲン、(Ｃ1−Ｃ4)アルキル、ＣＦ3、(Ｃ1−Ｃ4)アルコキシまたは(Ｃ1−Ｃ4)ハロアルコキシであり；
Ｒ42はＨ、ハロゲンまたは(Ｃ1−Ｃ4)アルキルであり；
Ｑ1、Ｑ2、Ｅ、Ｇは同一または異なり、−Ｏ−、−Ｓ−  −ＣＲ472−、−ＣＯ−、ＮＲ48−または下記式(VIII)の基であるが；
Ｃ＝ＣＨ−Ｏ−ＣＲa2−(ＣＯ)−Ａ      (VIII)
ただし、
ａ）基Ｑ1、Ｑ2、Ｅ、Ｇの少なくとも１つがカルボニル基であり、この基の１つは厳密に式(VIII)のラジカルであり、式(VIII)の基はカルボニル基に隣接し、そして
ｂ）２つの隣接する基Ｑ1、Ｑ2、Ｅ、Ｇは同時に酸素であることはない、
とし；
Ｒaは同一または異なり、Ｈまたは(Ｃ1−Ｃ8)アルキルであるかまたは２つのラジカルＲaはともに(Ｃ2−Ｃ6)アルキレンであり；
Ａは、Ｒb−Ｙ3−または−ＮＲ492であり；
Ｘ4は、−Ｏ−または−Ｓ(Ｏ)p−であり；
Ｙ3は、−Ｏ−または−Ｓ−であり；
ＲbはＨ、(Ｃ1−Ｃ8)アルキル、(Ｃ1−Ｃ8)ハロアルキル、(Ｃ1−Ｃ4)アルコキシ(Ｃ1−Ｃ8)アルキル、(Ｃ3−Ｃ6)アルケニルオキシ(Ｃ1−Ｃ8)アルキル、またはフェニル(Ｃ1−Ｃ8)アルキルであり場合によってフェニル環はハロゲン、(Ｃ1−Ｃ4)アルキル、ＣＦ3、メトキシまたはメチル−Ｓ(Ｏ)pで置換されており；(Ｃ3−Ｃ6)アルケニル、(Ｃ3−Ｃ6)ハロアルケニル、フェニル(Ｃ3−Ｃ6)アルケニル、(Ｃ3−Ｃ6)アルキニル、フェニル(Ｃ3−Ｃ6)アルキニル、オキセタニル、フルフリル、テトラヒドロフリルであり；
Ｒ43は、Ｈまたは(Ｃ1−Ｃ4)アルキルであり；
Ｒ44は同一または異なり、Ｈ、(Ｃ1−Ｃ4)アルキル、(Ｃ1−Ｃ4)アルキルカルボニルであるかまたは２つのラジカルＲ44はともに(Ｃ4−Ｃ5)アルキレンであり；
Ｒ45、Ｒ46は同一または異なり、Ｈ、(Ｃ1−Ｃ4)アルキルであるか、または２つのラジカルＲ45および／またはＲ46はともに(Ｃ4−Ｃ5)アルキレンであり、１つのＣＨ2基がＯもしくはＳで置換可能であり、または１つまたは２つのＣＨ2基がＮＲcによって置換可能であり；
Ｒcは、Ｈまたは(Ｃ1−Ｃ8)アルキルであり：
Ｒ47は同一または異なり、Ｈ、(Ｃ1−Ｃ8)アルキルであるか、または２つのラジカルＲ
47はともに(Ｃ2−Ｃ6)アルキレンであり；
Ｒ48はＨ、(Ｃ1−Ｃ8)アルキル、置換もしくは非置換フェニル、またはベンジルで、これは非置換であるかまたはフェニル環上で置換されており；
Ｒ49は同一または異なり、Ｈ、(Ｃ1−Ｃ8)アルキル、フェニル、フェニル(Ｃ1−Ｃ8)アルキル(ここでフェニル環はＦ、Ｃｌ、Ｂｒ、ＮＯ2、ＣＮ、ＯＣＨ3、(Ｃ1−Ｃ4)アルキルまたはＣＨ3ＳＯ2−で置換されていてもよい)、または(Ｃ1−Ｃ4)アルコキシ(Ｃ1−Ｃ8)アルキル、(Ｃ3−Ｃ6)アルケニル、(Ｃ3−Ｃ6)アルキニルであるか、または２つのラジカルＲ49はともに(Ｃ4−Ｃ5)アルキレンであり、１つのＣＨ2基はＯまたはＳで置換可能であり、または１つもしくは２つのＣＨ2基は−ＮＲd−で置換可能である；
Ｒdは、Ｈまたは(Ｃ1−Ｃ4)アルキルであり；
ｍ″は０または１であり；そして
ｐは０、１または２である）。
【請求項２】  式(Ｉ)の化合物を含む請求項１に記載の除草組成物であって、式中の記号およびインデックスが下記の意味を有する除草組成物：
Ｒが水素、(Ｃ1−Ｃ4)アルコキシカルボニルであり；
Ｒ1が(Ｃ3−Ｃ7)シクロアルキル、(Ｃ1−Ｃ4)アルキル−(Ｃ3−Ｃ7)シクロアルキルであり；
Ｒ2が水素であり；
Ｒ3が水素、(Ｃ1−Ｃ4)アルキル、アリールスルホニル、ベンジルであり；
Ｒ4が(Ｃ1−Ｃ4)アルキルであり；
Ｒ5が(Ｃ1−Ｃ4)アルキル、(Ｃ1−Ｃ4)アルコキシであり；
Ｒ6がヒドロキシル、(Ｃ1−Ｃ4)アルコキシであり；
Ｒ7が(Ｃ3−Ｃ7)シクロアルキルであり；
Ｒ8がシアノであり；
ｍが０から６の整数であり；そして
Ｚが以下の式(Ｚ１)−(Ｚ４)から成る群から選ばれるラジカルであり、
【化８】
2002518416.tif 000008
式中記号およびインデックスは下記の意味を有する；
Ｒ9は(Ｃ1−Ｃ4)アルキル、ハロゲン、(Ｃ1−Ｃ4)ハロアルキル、(Ｃ1−Ｃ4)ハロアルコキシ、(Ｃ1−Ｃ4)アルキルスルホニル、(Ｃ1−Ｃ4)アルキルスルホニルオキシ、(Ｃ1−Ｃ4)アルキルスルホニルアミノ、(Ｃ1−Ｃ4)アルコキシカルボニルであり；
Ｒ10はベンジル、トリアゾリルメチル、ピラゾリルメチル、チアゾリルメチル、ジ(Ｃ1−Ｃ4)アルキルホスホノ(Ｃ1−Ｃ4)アルキルであり；
Ｒ11は(Ｃ1−Ｃ4)アルキルであり；
Ｒ12は(Ｃ1−Ｃ4)アルキル、ハロゲン、(Ｃ1−Ｃ4)ハロアルキル、(Ｃ1−Ｃ4)アルキルスルホニル、(Ｃ1−Ｃ4)アルコキシカルボニルであり；
ｑは０、１、２、３または４であり；
ｒは０、１、２または３であり；
ｔは１または２であり；
ｕは０、１または２であり；
ｖは１または２であり；
Ｘ1はＯ、ＣＲ14Ｒ15、ＣＨＯＨ、Ｃ＝Ｏ、Ｃ＝ＮＯ(Ｃ1−Ｃ4)アルキルであり；
Ｘ2はＳＯ2であり；
Ｕ1は、連結された炭素原子と一緒になってピラゾール、イミダゾール、ピロール、ピリジン、ピリミジン、チアゾール、チエニル、オキサゾールまたはフラン環を形成し；
Ｕ2はＳＯ2であり；
Ｒ13は水素、(Ｃ1−Ｃ4)アルキル、(Ｃ3−Ｃ7)シクロアルキル、(Ｃ2−Ｃ4)アルケニル、(Ｃ2−Ｃ4)アルキニル、場合によって置換されたフェニル、場合によって置換されたベンジル、(Ｃ1−Ｃ4)アシルであり；
Ｒ14、Ｒ15は同一または異なり、水素、(Ｃ1−Ｃ4)アルキル、(Ｃ1−Ｃ4)アルコキシ、(Ｃ1−Ｃ4)ハロアルコキシ、(Ｃ1−Ｃ4)アルキルチオ、(Ｃ1−Ｃ4)ハロアルキルチオであるか、またはＲ14とＲ15は一緒になって基−Ｏ−(ＣＨ2)2−Ｏ−、−Ｏ−(ＣＨ2)3−Ｏ−、Ｓ−(ＣＨ2)2−Ｓ−、−Ｓ−(ＣＨ2)3−Ｓ−、−(ＣＨ2)4−、−(ＣＨ2)5−の１つを形成し；
Ｒ16は(Ｃ1−Ｃ2)アルキルであり；
Ｙ1、Ｙ2は、Ｙ1≠Ｙ2を条件としてＳＯ2またはＣＯである。
【請求項３】  式(II)のＷが下記(Ｗ１)−(Ｗ４)から成る群から選ばれるラジカルである請求項１または２に記載の除草組成物：
【化９】
2002518416.tif 000009
式中記号およびインデックスは下記の意味を有する：
ｍ′は０または１であり；
Ｒ26は、水素、(Ｃ1−Ｃ8)アルキル、(Ｃ1−Ｃ8)ハロアルキル、(Ｃ1−Ｃ4)アルコキシ(Ｃ1−Ｃ4)アルキル、(Ｃ1−Ｃ6)ヒドロキシアルキル、(Ｃ3−Ｃ12)シクロアルキルまたはトリ(Ｃ1−Ｃ4)アルキルシリルであり；
Ｒ27、Ｒ28、Ｒ29は同一または異なり、水素、(Ｃ1−Ｃ8)アルキル、(Ｃ1−Ｃ8)ハロアルキル、(Ｃ3−Ｃ12)シクロアルキルまたは置換若しくは非置換フェニルである。
【請求項４】  式(II)および／または(III)(式中、記号およびインデックスは以下の意味を有する)の毒性緩和剤を含む請求項１から３のいずれかに記載の除草組成物：
Ｒ18、Ｒ20は−Ｏ−Ｒ24であり；
Ｒ24は水素、(Ｃ1−Ｃ18)アルキル、(Ｃ3−Ｃ12)シクロアルキル、(Ｃ2−Ｃ8)アルケニルまたは(Ｃ2−Ｃ18)アルキニルであり、炭素含有基が１つまたは２つ以上のラジカルＲ50で置換されていてもよく；
Ｒ50は同一または異なり、ハロゲン、ヒドロキシル、(Ｃ1−Ｃ8)アルコキシ、(Ｃ1−Ｃ8)アルキルチオ、(Ｃ2−Ｃ8)アルケニルチオ、(Ｃ2−Ｃ8)アルキニルチオ、(Ｃ2−Ｃ8)アルケニルオキシ、(Ｃ2−Ｃ8)アルキニルオキシ、(Ｃ3−Ｃ7)シクロアルキル、(Ｃ3−Ｃ7)シクロアルコキシ、シアノ、モノおよびジ((Ｃ1−Ｃ4)アルキル)アミノ、カルボキシル、(Ｃ1−Ｃ8)アルコキシカルボニル、(Ｃ2−Ｃ8)アルケニルオキシカルボニル、(Ｃ1−Ｃ8)アルキルチオカルボニル、(Ｃ2−Ｃ8)アルキニルオキシカルボニル、(Ｃ1−Ｃ8)アルキルカルボニル、(Ｃ2−Ｃ8)アルケニルカルボニル、(Ｃ2−Ｃ8)アルキニルカルボニル、１−(ヒドロキシイミノ)(Ｃ1−Ｃ6)アルキル、１−〔(Ｃ1−Ｃ4)アルキルイミノ〕(Ｃ1−Ｃ4)アルキル、１−〔(Ｃ1−Ｃ4)アルコキシイミノ〕(Ｃ1−Ｃ6)アルキル、(Ｃ1−Ｃ8)アルキルカルボニルアミノ、(Ｃ2−Ｃ8)アルケニルカルボニルアミノ、(Ｃ2−Ｃ8)アルキニルカルボニルアミノ、アミノカルボニル、(Ｃ1−Ｃ8)アルキルアミノカルボニル、ジ(Ｃ1−Ｃ6)アルキルアミノカルボニル、(Ｃ2−Ｃ6)アルケニルアミノカルボニル、(Ｃ2−Ｃ6)アルキニルアミノカルボニル、(Ｃ1−Ｃ8)アルコキシカルボニルアミノ、(Ｃ1−Ｃ8)アルキル
アミノカルボニルアミノ、(Ｃ1−Ｃ6)アルキルカルボニルオキシ（これらは置換されていないか、またはＲ51によって置換されている）、(Ｃ2−Ｃ6)アルケニルカルボニルオキシ、(Ｃ2−Ｃ6)アルキニルカルボニルオキシ、(Ｃ1−Ｃ8)アルキルスルホニル、フェニル、フェニル(Ｃ1−Ｃ6)アルコキシ、フェニル(Ｃ1−Ｃ6)アルコキシカルボニル、フェノキシ、フェノキシ(Ｃ1−Ｃ6)アルコキシ、フェノキシ(Ｃ1−Ｃ6)アルコキシカルボニル、フェニルカルボニルオキシ、フェニルカルボニルアミノ、フェニル(Ｃ1−Ｃ6)アルキルカルボニルアミノであり、最後の９ラジカルは置換されていなくてもよく、または、フェニル環がラジカルＲ52、ＳｉＲ′3、−Ｏ−ＳｉＲ′3、Ｒ′3Ｓｉ−(Ｃ1−Ｃ8)アルコキシ、−ＣＯ−Ｏ−ＮＲ′2、−Ｏ−Ｎ＝ＣＲ′2、−Ｎ＝ＣＲ′2、−Ｏ−ＮＲ′2、−ＮＲ′2、ＣＨ(ＯＲ′)2、−Ｏ−(ＣＨ2)m−ＣＨ(ＯＲ′)2、−ＣＲ′′′(ＯＲ′)2、−Ｏ−(ＣＨ2)mＣＲ′′′(ＯＲ″)2またはＲ″Ｏ−ＣＨＲ′′′ＣＨＣＯＲ″−(Ｃ1−Ｃ6)−アルコキシで一置換または多置換されていてもよく；
Ｒ51は同一または異なり、ハロゲン、ニトロ、(Ｃ1−Ｃ4)アルコキシおよびフェニルで、これは置換されていないか、または１つまたは２つ以上のラジカルＲ52で置換されており；
Ｒ52は同一または異なり、ハロゲン、(Ｃ1−Ｃ4)アルキル、(Ｃ1−Ｃ4)アルコキシ、(Ｃ1−Ｃ4)ハロアルキル、(Ｃ1−Ｃ4)ハロアルコキシまたはニトロであり；
Ｒ′は同一または異なり、水素、(Ｃ1−Ｃ4)アルキル、フェニルでこれは置換されていないか、または１つまたは２つ以上のラジカルＲ52で置換されており、または２つのラジカルＲ′は一緒になって(Ｃ2−Ｃ6)アルカンジイル鎖を形成し；
Ｒ″は同一または異なって(Ｃ1−Ｃ4)アルキルであるか、または２つのラジカルＲ″は一緒になって(Ｃ2−Ｃ6)アルカンジイル鎖を形成し；
Ｒ′′′は水素または(Ｃ1−Ｃ4)アルキルであり；
ｍは０、１、２、３、４、５または６である。
【請求項５】  式(II)および／または(III)(式中、記号およびインデックスは以下の意味を有する)の毒性緩和剤を含む請求項１から４のいずれかに記載の除草組成物：
Ｒ24は水素、(Ｃ1−Ｃ8)アルキルまたは(Ｃ3−Ｃ7)シクロアルキルであり、上記の炭素含有基は置換されていないか、またはハロゲンによって一置換もしくは多置換されているか、またはラジカルＲ50で一置換もしくは二置換されており；
Ｒ50は同一または異なり、ヒドロキシル、(Ｃ1−Ｃ4)アルコキシ、カルボキシル、(Ｃ1−Ｃ4)アルコキシカルボニル、(Ｃ2−Ｃ6)アルケニルオキシカルボニル、(Ｃ2−Ｃ6)アルキニルオキシカルボニル、１−(ヒドロキシイミノ)(Ｃ1−Ｃ4)アルキル、１−〔(Ｃ1−Ｃ4)アルキルイミノ〕(Ｃ1−Ｃ4)アルキルおよび１−〔(Ｃ1−Ｃ4)アルコキシイミノ〕(Ｃ1−Ｃ4)アルキル；ＳｉＲ′3、−Ｏ−Ｎ＝ＣＲ′2、−Ｎ＝ＣＲ′2、−ＮＲ′2および−Ｏ−ＮＲ′2(式中、Ｒ′は同一または異なり、水素、(Ｃ1−Ｃ4)アルキルまたは、対として(Ｃ4−Ｃ5)アルカンジイル鎖である)であり；
Ｒ27、Ｒ28、Ｒ29は同一または異なり、水素、(Ｃ1−Ｃ8)アルキル、(Ｃ1−Ｃ6)ハロアルキル、(Ｃ3−Ｃ7)シクロアルキルまたはフェニルで、これは置換されていないか、またはハロゲン、シアノ、ニトロ、アミノ、モノおよびジ〔(Ｃ1−Ｃ4)アルキル〕アミノ、(Ｃ1−Ｃ4)アルキル、(Ｃ1−Ｃ4)ハロアルキル、(Ｃ1−Ｃ4)アルコキシ、(Ｃ1−Ｃ4)ハロアルコキシ、(Ｃ1−Ｃ4)アルキルチオおよび(Ｃ1−Ｃ4)アルキルスルホニルから成る群から選ばれる１つまたは２つ以上のラジカルによって置換されており；
Ｒ26は水素、(Ｃ1−Ｃ8)アルキル、(Ｃ1−Ｃ8)ハロアルキル、(Ｃ1−Ｃ4)アルコキシ−(Ｃ1−Ｃ4)アルキル、(Ｃ1−Ｃ6)ヒドロキシアルキル、(Ｃ3−Ｃ7)シクロアルキルまたはトリ(Ｃ1−Ｃ4)アルキルシリルであり；
Ｒ17、Ｒ19は同一または異なり、水素、ハロゲン、メチル、エチル、メトキシ、エトキシ、(Ｃ1またはＣ2)ハロアルキルである。
【請求項６】  式(II)(式中、記号およびインデックスは以下の意味を有する)の毒性緩和剤を含む請求項１から５のいずれかに記載の除草組成物：
Ｒ17は水素、ハロゲン、ニトロまたは(Ｃ1−Ｃ4)ハロアルキルであり；
ｎ′は１、２または３であり；
Ｒ18は式ＯＲ24のラジカルであり；
Ｒ24は水素、(Ｃ1−Ｃ8)アルキルまたは(Ｃ3−Ｃ7)シクロアルキルであり、上記の炭素含有ラジカルは置換されていないか、または、同一または異なるハロゲンによって一置換もしくは多置換されているか、またはヒドロキシル、(Ｃ1−Ｃ4)アルコキシ、(Ｃ1−Ｃ4)アルコキシカルボニル、(Ｃ2−Ｃ6)アルケニルオキシカルボニル、(Ｃ2−Ｃ6)アルキニルオキシカルボニル、１−(ヒドロキシイミノ)(Ｃ1−Ｃ4)アルキル、１−〔(Ｃ1−Ｃ4)アルキルイミノ〕(Ｃ1−Ｃ4)アルキル、１−〔(Ｃ1−Ｃ4)アルコキシイミノ〕(Ｃ1−Ｃ4)アルキル、および以下の式、ＳｉＲ′3、−Ｏ−Ｎ＝Ｒ′2、−Ｎ＝ＣＲ′2、−ＮＲ′2および−Ｏ−ＮＲ′2(式中、ラジカルＲ′は同一または異なり、水素、(Ｃ1−Ｃ4)アルキル、または対として(Ｃ4またはＣ5)アルカンジイルである)から成る群から選ばれる同一または異なるラジカルによって二置換まで置換されており；
Ｒ27、Ｒ28、Ｒ29は同一または異なり、水素、(Ｃ1−Ｃ8)アルキル、(Ｃ1−Ｃ6)ハロアルキル、(Ｃ3−Ｃ7)シクロアルキルまたはフェニルで、これは置換されていないか、またはハロゲン、(Ｃ1−Ｃ4)アルキル、(Ｃ1−Ｃ4)アルコキシ、ニトロ、(Ｃ1−Ｃ4)ハロアルキルおよび(Ｃ1−Ｃ4)ハロアルコキシから成る群から選ばれる１つまたは２つ以上のラジカルで置換されており；そして
Ｒ26は水素、(Ｃ1−Ｃ8)アルキル、(Ｃ1−Ｃ8)ハロアルキル、(Ｃ1−Ｃ4)アルコキシ−(Ｃ1−Ｃ4)アルキル、(Ｃ1−Ｃ6)ヒドロキシアルキル、(Ｃ3−Ｃ7)シクロアルキルまたはトリ(Ｃ1−Ｃ4)アルキルシリルである。
【請求項７】  除草剤：毒性緩和剤の重量比が１：１００から１００：１である請求項１から６のいずれかに記載の除草組成物。
【請求項８】  さらなる除草剤を含む請求項１から７のいずれかに記載の除草組成物。
【請求項９】  さらなる除草剤がスルホニル尿素である請求項８に記載の除草組成物。
【請求項１０】  請求項１から９のいずれかに記載の除草剤／毒性緩和剤配合物の除草に有効な量を、有害な植物、植物、前記植物の種子または前記植物が成育している領域に適用することからなる作物中の有害な植物を制御する方法。
【請求項１１】  前記植物がトウモロコシ、コムギ、ライムギ、オオムギ、エンバク、コメ、モロコシ、綿花およびダイズから成る群から選ばれる、請求項１０に記載の方法。
【請求項１２】  前記植物が遺伝子工学によって操作されている請求項１０または１１に記載の方法。
【手続補正２】
【補正対象書類名】明細書
【補正対象項目名】００１３
【補正方法】変更
【補正の内容】
【００１３】
Ｂ．解毒作用量の下記ａ)〜ｅ)から成る群から選ばれる１つまたは２つ以上の化合物：
ａ）下記式(II)から(IV)の化合物、
【化１３】
2002518416.tif 000010
式中、記号およびインデックスは以下の意味を有する：
ｎ′は１から５の自然数、好ましくは１から３であり；
Ｔは(Ｃ1またはＣ2)アルカンジイル鎖で、これは、置換されていないか、または１つもしくは２つの(Ｃ1−Ｃ4)アルキルラジカルによって、または〔(Ｃ1−Ｃ3)アルコキシ〕カルボニルによって置換されており；
Ｗは置換されていないかまたは置換された二価の複素環ラジカル(部分的に不飽和であるかまたは芳香族である、ＮもしくはＯのヘテロ原子１〜３つを有する５員の複素環から成る群から選ばれ、前記環は少なくとも１つの窒素原子を含み、２つ以上の酸素原子を含まない)で、好ましくは以下の(Ｗ１)〜(Ｗ４)から成る群から選ばれるラジカルで、
【手続補正３】
【補正対象書類名】明細書
【補正対象項目名】００２２
【補正方法】変更
【補正の内容】
【００２２】
Ｒaは同一または異なり、Ｈまたは(Ｃ1−Ｃ8)アルキル、または２つのラジカルＲaはともに(Ｃ2−Ｃ6)アルキレンであり；
Ａは、Ｒb−Ｙ3−または−ＮＲ249であり；
Ｘ4は、−Ｏ−または−Ｓ(Ｏ)P−であり；
Ｙ3は、−Ｏ−または−Ｓ−であり；
ＲbはＨ、(Ｃ1−Ｃ8)アルキル、(Ｃ1−Ｃ8)ハロアルキル、(Ｃ1−Ｃ4)アルコキシ(Ｃ1−Ｃ8)アルキル、(Ｃ3−Ｃ6)アルケニルオキシ(Ｃ1−Ｃ8)アルキル、またはフェニル(Ｃ1−Ｃ8)アルキル(フェニル環は場合によって、ハロゲン、(Ｃ1−Ｃ4)アルキル、ＣＦ3、メトキシまたはメチル−Ｓ(Ｏ)pで置換される)、(Ｃ3−Ｃ6)アルケニル、(Ｃ3−Ｃ6)ハロアルケニル、フェニル(Ｃ3−Ｃ6)アルケニル、(Ｃ3−Ｃ6)アルキニル、フェニル(Ｃ3−Ｃ6)アルキニル、オキセタニル、フルフリル、テトラヒドロフリルであり；
Ｒ43は、Ｈまたは(Ｃ1−Ｃ4)アルキルであり；
Ｒ44は同一または異なり、Ｈ、(Ｃ1−Ｃ4)アルキル、(Ｃ1−Ｃ4)アルキルカルボニルまたは２つのラジカルＲ44はともに(Ｃ4−Ｃ5)アルキレンであり；
Ｒ45、Ｒ46はそれぞれ別個に各事例で同一または異なり、Ｈ、(Ｃ1−Ｃ4)アルキル、または２つのラジカルＲ45および／またはＲ46はともに(Ｃ4−Ｃ5)アルキレンであり、１つのＣＨ2基はＯもしくはＳで置換されていてもよく、または１つまたは２つのＣＨ2基はＮＲcによって置換されていてもよく；